(57)【要約】【課題】ガスバーナ手段であるガス噴出ノズルの引き戻りが甘い時などは開弁状態となってガスが漏れるため、着火後、風防内に残り火が起きる可能性がある。【解決手段】蓋体９は、着火操作子１２の頂面に支持された基部９ａと、該基部９ａに折曲ヒンジ９ｂを介して折曲自在に一体成形された蓋本体９ｃと、該蓋本体９ｃを開蓋方向へ案内すべく後述する風防１４内の固定部１０に突設されたガイド部９ｄと、該ガイド部９ｄと接合すべく前記蓋本体９ｃの外周面に形成された整合部９ｅとを備える。蓋本体９ｃと基部９ａとは、耐火・耐熱性の合成樹脂材より一体成形されており、その間に折曲ヒンジ９ｂを凹設すると共に、着火操作子１２の押込動作に応じて蓋本体９ｃの下面側が固定部１０の斜面と当接して同蓋本体９ｃを垂直方向へと起き上げるべく組み付ける。【選択図】  図３
2007057153.tif 000002
【特許請求の範囲】
【請求項１】
ライター本体に押し込み若しくは回動自在に装着された着火操作子と、該着火操作子の操作に連動されてバルブを開弁方向に動作させる弁操作レバーと、前記バルブを囲繞する風防と、前記着火操作子の押込操作により、前記風防から起き上がるべく開蓋し、同着火操作子の戻り操作により少なくとも同風防の頂面及び／又は燃焼筒を閉塞すべく閉蓋する蓋体とを備えてなるガスライターにおいて、
前記蓋体は、着火操作子に支持された基部と、該基部と一体成形されて前記風防の上まで延出された蓋本体と、該蓋本体を前記着火操作子の押込操作のタイミングで垂直方向に起き上げるべく一体成形された折曲ヒンジとを備えてなることを特徴とするガスライター。
【請求項２】
前記蓋体は、着火操作子に支持された基部と、該基部に折曲自在に連結されて前記風防の頂面を閉塞する大きさに形成された蓋本体と、該蓋本体を開蓋方向へ案内すべく同風防内の固定部に突設されたガイド部とを備えてなることを特徴とする請求項１に記載のガスライター。
【発明の詳細な説明】
【技術分野】
【０００１】
本発明は、使用後にガスを完全に遮断できないトラブルが発生した場合でも、強制的に消火することができる安全で有用なガスライターに関する。
【背景技術】
【０００２】
従来、斯かるガスライターには、大別して、発火石をヤスリで擦り、その際の火花で着火させるヤスリ式ライター（所謂、フリント式ライター）と、圧電素子を打撃機構で打撃して高電圧を生じさせる圧電ユニットを使用し、火花放電で着火させる圧電着火式ライター（所謂、ピエゾライター）とがある。これらガスライターは、着火操作子の押し下げ操作によってガス噴出ノズルが操作されてガスの噴出が始まると共に、着火手段が操作されて火花が発生し、ガス着火が行われるように組み付けられている(特許文献１参照)。
【特許文献１】特開２００２−３４９８５０号公報
【発明の開示】
【発明が解決しようとする課題】
【０００３】
しかしながら、上述した特開２００２−３４９８５０号公報に開示されたガスライターにあっては、ガスバーナ手段であるガス噴出ノズルの引き戻りが甘い時などは開弁状態となってガスが漏れるため、着火後、風防内に残り火が起きる可能性がある。
【０００４】
また、従来のガスライターにあっては、風防の頂部が、炎孔を介して、常時、開口しているため、ライターを携帯する際、衣服のポケットや鞄内にあるティッシュの屑や埃塵などが炎孔から風防内に入ってしまうことが危惧されており、延いては、この埃塵等に引火してしまうことが原因で、炎が完全に消えず、小さな残り火の状態で燃え続けることも危惧されている。
【０００５】
本発明はこのような従来の問題点に鑑みてなされたもので、使用後にガスを完全に遮断できないトラブルや、炎が完全に消火していない状態が発生した場合でも、強制的に消火することができる安全で有用でガスライターを提供することを目的としたものである。
【課題を解決するための手段】
【０００６】
上述の如き従来の問題点を解決し、所期の目的を達成するため本発明の要旨とする構成は、ライター本体に押し込み若しくは回動自在に装着された着火操作子と、該着火操作子の操作に連動されてバルブを開弁方向に動作させる弁操作レバーと、前記バルブを囲繞する風防と、前記着火操作子の押込操作により、前記風防から起き上がるべく開蓋し、同着火操作子の戻り操作により少なくとも同風防の頂面及び／又は燃焼筒を閉塞すべく閉蓋する蓋体とを備えてなるガスライターにおいて、前記蓋体は、着火操作子に支持された基部と、該基部と一体成形されて前記風防の上まで延出された蓋本体と、該蓋本体を前記着火操作子の押込操作のタイミングで垂直方向に起き上げるべく一体成形された折曲ヒンジとを備えてなるガスライターに存する。
【０００７】
また、前記蓋体は、着火操作子に支持された基部と、該基部に折曲自在に連結されて前記風防の頂面を閉塞する大きさに形成された蓋本体と、該蓋本体を開蓋方向へ案内すべく同風防内の固定部に突設されたガイド部とを備えるのが良い。
【発明の効果】
【０００８】
本発明は上述のように構成され、前記蓋体が、着火操作子に支持された基部と、該基部と一体成形されて前記風防の上まで延出された蓋本体と、該蓋本体を前記着火操作子の押込操作のタイミングで垂直方向に起き上げるべく一体成形された折曲ヒンジとを備えてなることによって、従来の蓋体と異なり一つに纏めたコンパクトな取り付けができる共に、構成が単純であるため、大量生産に適し価格も低廉なものとして需用者に供給できるといった効果を奏する。
【０００９】
しかも、前記蓋体が、着火操作子に支持された基部と、該基部に折曲自在に連結されて前記風防の頂面を閉塞する大きさに形成された蓋本体と、該蓋本体を開蓋方向へ案内すべく同風防内の固定部に突設されたガイド部とを備えたことによって、従来の如く蓋を開け、次いで、着火するといったツーアクションではなく、着火操作子の押込操作だけのワンアクションで円滑に風防の開閉操作ができるため、今までになく使い易く、また、使用後は必ず強制的に閉蓋するため、仮令、着火後にガスを完全に遮断できないトラブルや炎が完全に消火していない状態が発生した場合でも、強制的に消火することができる安全なガスライターを提供できる。
【００１０】
このように本発明のガスライターは、仮令、着火後にガスを完全に遮断できないトラブルや、炎が完全に消火していない状態が発生した場合でも、強制的に消火することができると共に、構成が単純であるため、大量生産に適し価格も低廉なものとして需用者に供給できるなど、本発明を実施することはその実益的価値が甚だ大である。
【発明を実施するための最良の形態】
【００１１】
前記残り火防止手段を、着火操作子に支持された基部と、該基部に折曲自在に連結されて前記風防の頂面を閉塞する大きさに形成された蓋体と、該蓋体を開蓋方向へ案内すべく同風防内の固定部に突設されたガイド部とを備え、かつ、前記蓋体と基部とを一体成形すると共に、その間に折曲ヒンジを凹設して互いを折曲自在に連設せしめる。
【実施例】
【００１２】
次に本発明の実施の一例を図面を参照しながら説明する。図中Ａは、本発明に係る内燃式ガスライターであり、この内燃式ガスライターＡは、図１若しくは図２に示すように、ライター本体１内に形成されたガスタンク２の上方に一体成形されたタンク上蓋３を備えている。
【００１３】
タンク上蓋３内には、上方が開口された有底筒状の嵌合凹部３ａが一体成形されており、該嵌合凹部３ａの底面中央に開口された前記ガスタンク２と通じる透孔３ｂを介してバルブ４が気密に圧入されている。
【００１４】
このバルブ機構４は、頂部端面に開口（図示せず）を有する筒蓋状のノズル螺旋４ａと、該ノズル螺旋４ｂの下方開口部に嵌合された有底筒状のノズル底栓体４ｂとで内部に弁室（図示せず）を形成しているもので、この弁室内には、Ｏリング、スプリングを介してガス噴出ノズル４ｃが上端を前記ノズル螺旋４ａの開口より外方へ突出すべく装着されている。
【００１５】
また、前記ガス噴出ノズル４ｃの頚部には、上下に揺動自在に支持された後述の弁操作レバー１１の一方端が係合されているもので、該弁操作レバー１１の持ち上げ操作により前記ガス噴出ノズル４ｃの頚部が引出方向に動作されて弁が開きガスの噴出が始まるように組み付けられている。
【００１６】
更に、ノズル底栓体４ｂの底面には、モルト等のフィルター４ｄ並びに釘状固定子５等を介して液化ガス吸上部材４ｅが装着されている。この液化ガス吸上部材４ｅは、上端が集熱筒４ｇに連結支持され下端が前記ガスタンク２内に延出すべく組み付けられたチューブ管からなり、必要に応じて中に焼結芯等を充填使用したり或いは外周面にガスタンク２内の液化ガスと接触すべく切欠孔を開口させても良い。
【００１７】
また、前記ノズル底栓体４ｂの外周面には環状溝を介してＯリング４ｆが嵌合されており、外接する透孔３ｂの内周面とのシールド性を保持していることは云うまでもない。
【００１８】
一方、前記ガス噴出ノズル４ｃの上には、内燃機構６が組み付けされている。この内燃機構６は、ガス噴出ノズル４ｃの噴出口に封緘されたノズルプレート６ａと、該ノズルプレート６ａを内設すべく前記ガス噴出ノズル４ｃの上端に被冠された混合管６ｂと、該混合管６ｂの上部に連設された拡散器６ｃと、該拡散器６ｃを内装すべく接合された燃焼筒６ｄとを備えており、斯かる混合管６ｂ、拡散器６ｃ、燃焼筒６ｄを取付ホルダー７に支持せしめている。
【００１９】
前記ノズルプレート６ａは、中央に穿孔６ａ１ を有した筒蓋６ａ２  と、該筒蓋６ａ２  の中に配設されるプレート本体(図示せず)とからなり、ガス噴出ノズル４ｃから噴出される気化ガスの流速を更に加速せしめるものである。
【００２０】
また、前記混合管６ｂは、中空の筒体に成形されており、半径方向に複数の吸気孔６ｂ１ ，６ｂ１ が開口されている。この吸気孔６ｂ１ ，６ｂ１ は、前記ノズルプレート６ａの穿孔６ａ１ を通過する燃料ガスが流速を強めて噴出されることによって生ずる負圧を利用して空気を吸い込むもので、燃料ガスと空気との混合を促進せしめるものである。
【００２１】
更に、拡散器６ｃは、上下方向（同軸方向）に貫通した噴出路６ｃ１ と、該噴出路６ｃ１ と連通する複数の拡散孔６ｃ２ ，６ｃ２ …とが形成されている。この拡散孔６ｃ２ ，６ｃ２ …は、混合管６ｂ側から流入してくる混合ガスが拡散器６ｃの頂面に当接して逆噴流を惹起せしめるように前記噴出路６ｃ１ の入口側（下端側）よりも小孔に縮径させており、ガスの混合を更に促進させながら効果的に混合ガスを拡散せしめるものである。
【００２２】
更に、燃焼筒６ｄは、上下両端が開口した中空の筒体からなり、下端開口に前記拡散器６ｃを固定すべく連結支持すると共に、上端側を取付ホルダー７に固定された放電端子８に連結支持せしめている。
【００２３】
また、斯かる燃焼筒６ｄの上位には、蓋体９が装着されている。この蓋体９は、図２に拡大して示すように、後述する着火操作子１２の頂面に支持された基部９ａと、該基部９ａに折曲ヒンジ９ｂを介して折曲自在に一体成形された蓋本体９ｃと、該蓋本体９ｃを開蓋方向へ案内すべく後述する風防１４内の固定部１０に突設されたガイド部９ｄと、該ガイド部９ｄと接合すべく前記蓋本体９ｃの外周面に形成された整合部９ｅ(図４参照)とを備えている。
【００２４】
基部９ａは、着火操作子１２の頂部を形成するものであり、風防１４の上に向けて水平に延出して燃焼筒６ｄの上端開口及び風防１４を閉塞せしめる蓋本体９ｃと一体的に連結されている。
【００２５】
すなわち、この蓋本体９ｃと基部９ａとは、耐火・耐熱性の合成樹脂材より一体成形されており、その間に折曲ヒンジ９ｂを凹設すると共に、着火操作子１２の押込動作に応じて蓋本体９ｃの下面側が固定部１０の斜面と当接して同蓋本体９ｃを垂直方向へと起き上げるべく組み付けられている。換言すれば、蓋本体９ｃを着火操作子１２の押込操作のタイミングで垂直方向に起き上げるべく基部９ａと蓋本体９ｃとの境目に折曲ヒンジ９ｂを凹設している。
【００２６】
ガイド部９ｄは、着火操作子１２の押込操作に応じて蓋本体９ｃを開蓋方向へと案内するものである。換言すれば、同固定部１０が蓋本体９ｃの下面と接触することにより前記折曲ヒンジ９ｂを中心に同蓋本体９ｃが垂直方向に上がり易いように案内するのである。
【００２７】
固定部１０は、燃焼筒６ｄを支持する取付ホルダー７と一体的に形成されており、蓋本体９ｃがひっかかりなく開閉できるように上端面が斜めにカットされている。
【００２８】
他方、この内燃式ガスライターＡの着火機構は、図２に示すように、前述したガス噴出ノズル４ｃの頚部に一端が係合された弁操作レバー１１と、該弁操作レバー１１の他端側に連動される着火操作子１２と、該着火操作子１２の押し込み操作により動作させる圧電ユニット１３とから構成されている。
【００２９】
前記弁操作レバー１１は、タンク上蓋３の頂面に突設された軸受け３ｃを支点として上下方向に揺動すべく一方端１１ａを前記ガス噴出ノズル４ｃの頚部に嵌合支持されており、他方端１１ｂが前記着火操作子１２で押し下げ操作されることにより、該弁操作レバー１１が前記支点を中心として揺動し前記ガス噴出ノズル４ｃの頚部を引出方向に動作させるものである。
【００３０】
また、前記圧電ユニット１３は、上下方向に伸縮するように相互に嵌め合わされた外箱１３ａと内箱１３ｂとを有し、内箱１３ｂの中には、図示はしないが、圧電素子、ハンマー、復帰バネ等が組み込まれている。
【００３１】
風防１４は、頂面が全て開放された無頂面の風防からなり、この開放面と整合すべく前記蓋本体９ｃが形成してあり、閉蓋時には同風防１４と面一に蓋体９が閉塞するように組み付けられている。
【００３２】
このように構成される本発明のガスライターＡは、ライター本体１を握持した手の親指で着火操作子１２を押し下げ操作することにより、このタイミングで前記蓋本体９ｃが自動的に垂直方向に起き上がるべく折曲ヒンジ９ｂで折り曲げられると同時にガイド部９ｄに案内されることで円滑に開蓋し、然る後、圧電ユニット１３を押圧動作して前記放電端子８に火花放電が発生すると共に、ガス噴出ノズル４ｃの頚部が弁操作レバー１１により引出方向に動作されて弁が開き、かつ、前記液化ガス吸上部材４ｅを介して吸い上げられたガスタンク２内の燃料ガスがフィルター４ｄに達し気化する。
【００３３】
また、気化したガスは、フィルター４ｄを透過してノズル底栓体４ｂの弁孔を抜け更にガス噴出ノズル４ｃの半径方向に開口された穿孔（図示せず）を通ってガス噴出路（図示せず）内に達し上端の噴出口から外方へと噴出される。          
【００３４】
そして、斯かるガス噴出ノズル４ｃから噴出された気化ガスは、ノズルプーレート６ａの封緘により更に流速を強めて噴出され、同時に斯かる流速で生ずる負圧作用を利用して混合管６ｂの吸気孔６ｂ１ から空気を吸い込み拡散器６ｃへと噴射される。
【００３５】
而して、噴射されたガスと空気の混合ガスは、拡散器６ｃ内の天頂面に当接して逆噴流を惹起せしめ、燃焼効率を向上すべく更に混合されながら天頂の前記噴出路６ｃ１ 並びに側面に開口された複数の拡散孔６ｃ２ ，６ｃ２ …を介して燃焼筒６ｄ内へと拡散されることとなり、その瞬間に前記火花放電が引火してバーナー状に着火するのである。
【００３６】
また、着火後は、着火操作子１２が元に戻るに連れて前記蓋本体９ｃが風防１４及び燃焼筒６ｄを閉塞すべく面一に閉蓋するため、ガスを完全に遮断できないトラブルや、炎が完全に消火していない状態が発生した場合でも、強制的に消火することができる。
【００３７】
更に、本発明のガスライターは、蓋体９により、常時、風防１４が閉蓋状態に保持されるため、ライターを衣服のポケットや鞄内などに携帯する場合でも、従来の如く風防１４内に塵や埃が入ることもない。因に、図中１５はガス量調整螺子である。
【００３８】
尚、本発明のスライターは本実施例に限定されることなく、本発明の目的の範囲内で自由に設計変更し得るものであり、本発明はそれらの全てを包摂するものである。例えば、本実施例では内燃式ガスライターについてのみ説明しているが、これに限定されることなく、通常の圧電式ガスライターについても使用できることは云うまでもない。
【図面の簡単な説明】
【００３９】
【図１】本発明に係るガスライターの縦断面図である。
【図２】同ガスライターの閉蓋状態を示す説明図である。
【図３】同ガスライターの開蓋始動状態を示す説明図である。
【図４】同ガスライターの開蓋状態を示す説明図である。
【図５】同ガスライターの開蓋状態を示す縦断面図である。
【符号の説明】
【００４０】
１  ライター本体
２  ガスタンク
３  タンク上蓋
３ａ  嵌合凹部
３ｂ  透孔
３ｃ  縦穴
３ｄ  軸受け
４  バルブ
４ａ  ノズル螺旋
４ｂ  ノズル底栓体
４ｃ  ガス噴出ノズル
４ｄ  フィルター
４ｅ  液化ガス吸上部材
４ｆ  Ｏリング
４ｇ  集熱筒
５  釘状固定子
６  内燃機構
６ａ  ノズルプレート
６ａ１ 穿孔
６ａ２  筒蓋
６ｂ  混合管
６ｂ１ 吸気孔
６ｃ  拡散器
６ｃ１ 噴出路
６ｃ２ 拡散孔
６ｄ  燃焼筒
７  支持ホルダー
８  放電端子
９  蓋体
９ａ  基部
９ｂ  折曲ヒンジ
９ｃ  蓋本体
９ｄ  ガイド部
９ｅ  整合部
１０  固定部
１１  弁操作レバー
１１ａ  一方端
１１ｂ  他方端
１２  着火操作子
１２ａ  連結片
１３  圧電ユニット
１３ａ  外箱
１３ｂ  内箱
１４  風防
１５  ガス量調整螺子
【図１】
2007057153.tif 000003
【図２】
2007057153.tif 000004
【図３】
2007057153.tif 000005
【図４】
2007057153.tif 000006
【図５】
2007057153.tif 000007